(57)【特許請求の範囲】
【請求項１】
柱、胴差し等の軸組構造部材の側面に当接されネジ部材を挿通する挿通孔が形成された取付け板と、該取付け板に立設され前記軸組構造部材に接合される横架材の材端に形成されたスリットに差し込まれる支持板と、材軸が前記取付け板及び前記支持板と平行になるように該支持板の先端に配置され前記スリットに連通する雌ネジ挿通孔に挿通される雌ネジ部とを備え、該雌ネジ部を、上向き及び下向きのうち、いずれか任意の方向に沿って前記雌ネジ挿通孔に挿通できるように構成するとともに、前記取付け板の両側方縁部に前記支持板と平行になるようにかつ前記横架材の両側面に当接されるように一対の拘束板を立設したことを特徴とする木質系横架材の接合具。
【請求項２】
前記雌ネジ部に螺合される雄ネジ本体と該雄ネジ本体の端部に配置された荷重支持板とからなる雄ネジ部材を備えた請求項１記載の木質系横架材の接合具。
【請求項３】
柱、胴差し等の軸組構造部材の側面に当接されネジ部材を挿通する挿通孔が形成された取付け板と、該取付け板に立設され前記軸組構造部材に接合される横架材の材端に形成されたスリットに差し込まれる支持板と、材軸が前記取付け板及び前記支持板と平行になるように該支持板の先端に配置され前記スリットに連通する雌ネジ挿通孔に挿通される雌ネジ部と、該雌ネジ部に螺合される雄ネジ本体及び該雄ネジ本体の端部に配置された荷重支持板からなる雄ネジ部材とを備え、前記雌ネジ部を、上向き及び下向きのうち、いずれか任意の方向に沿って前記雌ネジ挿通孔に挿通できるように構成するとともに、前記荷重支持板であって前記雄ネジ本体の材軸から偏心した位置にネジ部材を挿通する挿通孔又は切欠きを設けたことを特徴とする木質系横架材の接合具。
【請求項４】
前記取付け板の両側方縁部に前記支持板と平行になるようにかつ前記横架材の両側面に当接されるように一対の拘束板を立設した請求項３記載の木質系横架材の接合具。
【請求項５】
柱、胴差し等の軸組構造部材の側面に当接されネジ部材を挿通する挿通孔が形成された取付け板と、該取付け板に立設された支持板と、材軸が前記取付け板及び前記支持板と平行になるように該支持板の先端に配置された雌ネジ部と、該雌ネジ部に螺合される雄ネジ本体及び該雄ネジ本体の端部に配置された荷重支持板からなる雄ネジ部材とを備えた接合具を用いて木質系横架材を接合する方法であって、
前記挿通孔に挿通されたネジ部材を用いて前記取付け板を前記軸組構造部材に固定し、前記軸組構造部材に接合される横架材の材端に形成されたスリットに前記支持板が差し込まれるようにかつ該スリットに連通する雌ネジ挿通孔に前記雌ネジ部が挿通されるように前記横架材を持ち上げ、前記荷重支持板が下方となるように前記雄ネジ本体を前記雌ネジ部に螺合することにより、該横架材の下面に前記荷重支持板の上面を当接させることを特徴とする木質系横架材の接合方法。
【請求項６】
前記横架材の上面及びその直上に位置する既存梁の下面の少なくともいずれかに接着剤を塗布し、前記横架材の上面を前記既存梁の下面に当接した後、前記雄ネジ部材の増し締めを行う請求項５記載の木質系横架材の接合方法。
【発明の詳細な説明】
【技術分野】
【０００１】
本発明は、主として在来軸組工法の木造建築物に採用される木質系横架材の接合具及びそれを用いた接合方法に関する。
【背景技術】
【０００２】
住宅においては、家族構成の変動や生活指向の変化等に伴い、新築当時の間取りを変更して下階に広い空間を確保したいというニーズが生じる。
【０００３】
かかるニーズに応えるためには、居室の中央付近や隣接居室の境界に立設されている柱を撤去するリフォーム工事を行うことになるが、柱を撤去すると、該柱の頂部が接合されていた既存梁が下方に撓む不具合を生じるとともに、場合によっては柱梁架構の水平剛性が低下し、ひいては建物全体の耐震性も低下する。
【０００４】
そのため、柱を撤去する場合には、該柱の頂部が接合されていた既存梁の下方に添梁を配置したり（特許文献１）、既存梁の下面に添梁を接着するとともに既存梁が架け渡されている一対の柱に添柱をそれぞれ接着して添柱と添梁との接合部に補強板を接着する（特許文献２，３）。
【０００５】
かかる補強方法によれば、添梁によって既存梁の曲げ剛性が高くなるとともに、添梁、添柱及び補強板の協働作用によって柱梁架構の水平剛性も向上し、かくして既存梁の撓みが防止されるとともに、建物の耐震性も大幅に向上する。
【先行技術文献】
【特許文献】
【０００６】
【特許文献１】特開2005-232678号公報
【特許文献３】特開2008-190169号公報
【特許文献５】特開2003-  3576号公報
【特許文献７】特開平11-152798号公報
【特許文献９】特開平8-232343号公報
【特許文献１１】特開平11-181886号公報
【発明の概要】
【発明が解決しようとする課題】
【０００７】
ここで、柱や胴差しに梁を接合するにあたっては、従来からさまざまな梁受け金物が開発されているので（特許文献４〜１１）、梁の構造や配置形態が通常のものであれば、これら公知の梁受け金物から適宜選択して用いることができる。
【０００８】
しかしながら、既存梁の直下に添梁を配置するにあたっては、既存の梁受け金物では対応が困難であるという問題を生じていた。
【０００９】
すなわち、従来の梁受け金物としては、柱や胴差しに先付けし、かかる状態で梁の材端を落とし込むことを前提としたタイプのものがあるが（特許文献４〜９）、かかるタイプの梁受け金物では、直上に既存梁が存在する状況に対応することは本来的に不可能である。
【００１０】
また、梁の材端を落とし込むタイプのうち、柱や胴差しへの取付け面が露出する梁受け金物であれば（特許文献１０〜１１）、柱や胴差しに先付けするのではなく、添梁を支保した状態で該添梁の下面を抱えるように柱や胴差しに後付けすることで、既存梁直下への配置が可能になる場合もあるが、既存梁の両側に設置スペースや作業スペースが必要になるため、既存梁が建物外周部に位置する場合には適用が困難となる。
【００１１】
その他、ドリフトピンを用いるタイプなど多数の梁受け金物が存在するが、いずれの梁受け金物についても、既存梁の直下にしかも該既存梁の下面に上面が接着可能な状態で添梁を柱や胴差しに接合することは困難であるという問題を生じていた。
【課題を解決するための手段】
【００１２】
本発明は、上述した事情を考慮してなされたもので、既存梁の直下に添梁を配置することが可能であって、特に添梁をその上面が既存梁の下面に接着できるように配置することが可能な木質系横架材の接合具及びそれを用いた接合方法を提供することを目的とする。
【００１３】
上記目的を達成するため、本発明に係る木質系横架材の接合具は請求項１に記載したように、柱、胴差し等の軸組構造部材の側面に当接されネジ部材を挿通する挿通孔が形成された取付け板と、該取付け板に立設され前記軸組構造部材に接合される横架材の材端に形成されたスリットに差し込まれる支持板と、材軸が前記取付け板及び前記支持板と平行になるように該支持板の先端に配置され前記スリットに連通する雌ネジ挿通孔に挿通される雌ネジ部とを備え、該雌ネジ部を、上向き及び下向きのうち、いずれか任意の方向に沿って前記雌ネジ挿通孔に挿通できるように構成するとともに、前記取付け板の両側方縁部に前記支持板と平行になるようにかつ前記横架材の両側面に当接されるように一対の拘束板を立設したものである。
【００１４】
また、本発明に係る木質系横架材の接合具は、前記雌ネジ部に螺合される雄ネジ本体と該雄ネジ本体の端部に配置された荷重支持板とからなる雄ネジ部材を備えたものである。
【００１５】
また、本発明に係る木質系横架材の接合具は請求項３に記載したように、柱、胴差し等の軸組構造部材の側面に当接されネジ部材を挿通する挿通孔が形成された取付け板と、該取付け板に立設され前記軸組構造部材に接合される横架材の材端に形成されたスリットに差し込まれる支持板と、材軸が前記取付け板及び前記支持板と平行になるように該支持板の先端に配置され前記スリットに連通する雌ネジ挿通孔に挿通される雌ネジ部と、該雌ネジ部に螺合される雄ネジ本体及び該雄ネジ本体の端部に配置された荷重支持板からなる雄ネジ部材とを備え、前記雌ネジ部を、上向き及び下向きのうち、いずれか任意の方向に沿って前記雌ネジ挿通孔に挿通できるように構成するとともに、前記荷重支持板であって前記雄ネジ本体の材軸から偏心した位置にネジ部材を挿通する挿通孔又は切欠きを設けたものである。
【００１６】
また、本発明に係る木質系横架材の接合具は、前記取付け板の両側方縁部に前記支持板と平行になるようにかつ前記横架材の両側面に当接されるように一対の拘束板を立設したものである。
【００１７】
また、本発明に係る木質系横架材の接合方法は請求項５に記載したように、柱、胴差し等の軸組構造部材の側面に当接されネジ部材を挿通する挿通孔が形成された取付け板と、該取付け板に立設された支持板と、材軸が前記取付け板及び前記支持板と平行になるように該支持板の先端に配置された雌ネジ部と、該雌ネジ部に螺合される雄ネジ本体及び該雄ネジ本体の端部に配置された荷重支持板からなる雄ネジ部材とを備えた接合具を用いて木質系横架材を接合する方法であって、
【００１８】
前記挿通孔に挿通されたネジ部材を用いて前記取付け板を前記軸組構造部材に固定し、前記軸組構造部材に接合される横架材の材端に形成されたスリットに前記支持板が差し込まれるようにかつ該スリットに連通する雌ネジ挿通孔に前記雌ネジ部が挿通されるように前記横架材を持ち上げ、前記荷重支持板が下方となるように前記雄ネジ本体を前記雌ネジ部に螺合することにより、該横架材の下面に前記荷重支持板の上面を当接させるものである。
【００１９】
また、本発明に係る木質系横架材の接合方法は、前記横架材の上面及びその直上に位置する既存梁の下面の少なくともいずれかに接着剤を塗布し、前記横架材の上面を前記既存梁の下面に当接した後、前記雄ネジ部材の増し締めを行うものである。
【００２２】
従来の梁受け金物は上述したように、柱や胴差しに先付けしてから梁の材端を落とし込むタイプか、柱や胴差しにボルト止めされたプレート状部材を梁の材端に差し込んでドリフトピンで連結するタイプかに大別されるが、前者の梁受け金物では、既存梁が邪魔になってその直下に添梁を配置することができない。
【００２３】
また、後者の梁受け金物では、プレート状部材に形成された挿通孔の位置に合わせて梁に挿通孔を形成する必要があるが、既存梁に対する梁受け金物の設置精度にわずかでも誤差が生じると、梁に形成された挿通孔と該梁に差し込まれるプレート状部材の挿通孔とがずれてドラフトピンの挿入が不可能となる。
【００２４】
逆に、既存梁の下面と添梁の上面との間に隙間が生じる場合には、両者の接着強度が不足するといった事態を招く。
【００２５】
加えて、仮に梁受け金物を精度よく設置できたとしても、既存梁と添梁とを接着する場合には、接着剤が硬化するまでの間、締付けベルトや締付けボルト等を用いてそれらの当接面を互いに押さえ付ける必要があるところ、従来の梁受け金物では、梁端における設置高さを調整することができないため、上述した押付け作業は不可能である。
【００２６】
本出願人は、かかる問題を解決すべく上述した発明をなしたものであって、本発明に係る木質系横架材の接合具及びそれを用いた接合方法においては、接合具の取付け板を軸組構造部材に固定した後、該軸組構造部材に接合される横架材の材端に形成されたスリットに接合具の支持板が差し込まれるようにかつ該スリットに連通する雌ネジ挿通孔に接合具の雌ネジ部が挿通されるように、横架材を持ち上げる。
【００２７】
次に、横架材を必要に応じて支保しつつ、雄ネジ本体を雌ネジ部に螺合することにより、該横架材の下面に荷重支持板の上面を当接させる。
【００２８】
このようにすれば、横架材から作用する鉛直荷重を荷重支持板で受けるとともに該鉛直荷重を雌ネジ部に伝達することが可能となり、かくして既存梁の直下であっても添梁を容易に架け渡すことが可能となる。
【００２９】
これに対し、既存梁が存在しない場合には、上述した手順に代えて、接合具の取付け板を軸組構造部材に固定した後、該接合具の雌ネジ部に雄ネジ部材の雄ネジ本体を螺合し、次いで、軸組構造部材に接合される横架材の材端に形成されたスリットに接合具の支持板が差し込まれるようにかつ該スリットに連通する雌ネジ挿通孔に接合具の雌ネジ部が挿通されるように、横架材を落とし込むことにより、荷重支持板の上面に横架材の下面を当接させる。
【００３０】
このような手順においても、横架材から作用する鉛直荷重を荷重支持板で受けるとともに該鉛直荷重を雌ネジ部に伝達することができる。
【００３１】
上述した接合方法に用いる接合具は、柱、胴差し等の軸組構造部材の側面に当接されネジ部材を挿通する挿通孔が形成された取付け板と、該取付け板に立設された支持板と、材軸が取付け板及び支持板と平行になるように該支持板の先端に配置された雌ネジ部とを備え、柱のみならず、胴差しや桁といった水平材も含めた軸組構造部材すべてが設置対象となる。
【００３２】
ネジ部材とは少なくとも、木ねじ、ビス及びボルトを含む概念であり、支持板は、雌ネジ部に作用する横架材からの鉛直荷重を取付け板に伝達する、いわばブラケットとして機能する。
【００３３】
かかる支持板は、横架材の材端に形成されたスリットに差し込まれつつ、横架材を持ち上げ、あるいは落とし込むことができる必要があるため、概ね同一の厚みで形成された平板で構成する。
【００３４】
雌ネジ部も同様であり、上述のスリットに連通形成された雌ネジ挿通孔に挿通されつつ、横架材を持ち上げ、あるいは落とし込むことができる必要があるため、材軸方向に断面形状が概ね一定の雌ネジで構成する。
【００３５】
また、雌ネジ部は、鉛直面である軸組構造部材の側面に取付け板が固定された状態でその材軸が鉛直姿勢になる必要があり、そのためには、材軸が取付け板及び支持板と平行になるように該支持板の先端に配置する。
【００３６】
ここで、前記取付け板の両側方縁部に前記支持板と平行になるようにかつ前記横架材の両側面に当接されるように一対の拘束板を立設したならば、地震等に起因した水平力が横架材の材軸に沿ってかつ該横架材が軸組構造部材から離間しようとする方向に作用したとき、上述した一対の拘束板は、横架材の材端をその両側方から挟み付けるようにして、雌ネジ部の食い込みによる横架材のスリットの開きを拘束する。
【００３７】
そのため、上述した方向に沿った軸組構造部材と横架材との接合強度を大幅に高めることが可能となる。
【００３８】
雄ネジ部材は、横架材の鉛直荷重を支持可能であってかつ螺合によって雌ネジ部にその鉛直荷重を伝達できるものである限り、その構成は任意であって、公知のボルト部材から適宜選択使用することが可能であるが、雌ネジ部に螺合される雄ネジ本体及び該雄ネジ本体の端部に配置された荷重支持板で構成したならば、横架材からの鉛直荷重の支持及び雌ネジ部への伝達を簡易な構造で実現することが可能となる。
【００３９】
ここで、地震による揺れ等に起因して雄ネジ本体と雌ネジ部との螺合が緩む懸念がある場合には、雄ネジ部材の荷重支持板に挿通孔又は切欠きを設けておき、該挿通孔又は切欠きにネジ部材を挿通して横架材の下面にねじ込むようにするのが望ましい。挿通孔や切欠きを設ける位置は、雄ネジ部材全体の回転が防止されるよう、雄ネジ本体の材軸から偏心した位置とする。
【００４０】
既存梁の添梁として横架材を架け渡す場合、横架材の上面及びその直上に位置する既存梁の下面の少なくともいずれかに接着剤を塗布し、横架材の上面を既存梁の下面に当接した後、雄ネジ部材の増し締めを行うようにしたならば、横架材の上面が既存梁の下面に押し付けられることとなり、材端における両者の接着性が確保される。ちなみに、このような雄ネジ部材の高さ調整機能を利用することで、材端における接着性が確保されるため、残りの箇所については、例えば中央近傍でのみ、既存梁と添梁とを結束すれば足りる。
【図面の簡単な説明】
【００４１】
【図１】第１実施形態に係る木質系横架材の接合具１の全体斜視図。
【図２】接合具本体１１の図であり、(a)は正面図、(b)はＡ−Ａ線方向から見た矢視図、(c)はＢ−Ｂ線方向から見た矢視図。
【図３】雄ネジ部材５の図であり、(a)は正面図、(b)はＣ−Ｃ線方向から見た矢視図、(c)はＤ−Ｄ線方向から見た矢視図。
【図４】接合具１，１を用いて既存梁４２の直下に添梁４１を架け渡した様子を示した図であり、(a)は正面図、(b)はＥ−Ｅ線方向から見た矢視図。
【図５】接合具１を用いて既存梁４２の直下に添梁４１を架け渡す手順を示した詳細斜視図。
【図６】既存梁４２がない場合において梁４１ａを落とし込んで設置する手順を示した詳細斜視図。
【図７】第２実施形態に係る木質系横架材の接合具１ａの全体斜視図。
【図８】接合具本体１１ａの図であり、(a)は正面図、(b)はＦ−Ｆ線方向から見た矢視図、(c)はＧ−Ｇ線方向から見た矢視図。
【図９】接合具１ａ，１ａを用いて既存梁４２の直下に添梁４１を架け渡した様子を示した図であり、(a)は正面図、(b)はＨ−Ｈ線方向から見た矢視図。
【図１０】接合具１ａを用いて既存梁４２の直下に添梁４１を架け渡す手順を示した詳細斜視図。
【図１１】拘束板７２，７２の作用を説明した図。
【図１２】既存梁４２がない場合において梁４１ａを落とし込んで設置する手順を示した詳細斜視図。
【発明を実施するための形態】
【００４２】
以下、本発明に係る木質系横架材の接合具及びそれを用いた接合方法の実施の形態について、添付図面を参照して説明する。なお、従来技術と実質的に同一の部品等については同一の符号を付してその説明を省略する。
【００４３】
（第１実施形態）
【００４４】
図１乃至図３は、本実施形態に係る木質系横架材の接合具を示した図である。これらの図でわかるように、本実施形態に係る接合具１は、柱、胴差し等の軸組構造部材の側面に当接される取付け板２、該取付け板に立設された支持板３及び材軸が取付け板２及び支持板３と平行になるように該支持板の先端に配置された雌ネジ部４からなる接合具本体１１と、雌ネジ部４に螺着される雄ネジ部材５とを備える。
【００４５】
取付け板２は、矩形状鋼板にネジ部材としてのビス７を挿通する挿通孔６を形成するとともに、各周縁を折り曲げることで該各周縁に補剛リブを形成してあり、背面を軸組構造部材の側面に当接した状態で挿通孔６にビス７を挿通し、次いで該ビスをねじ込むことで、接合具本体１１を軸組構造部材に取り付けることができるようになっている。
【００４６】
雌ネジ部４、支持板３及び取付け板２は、雄ネジ部材５から雌ネジ部４に作用する鉛直荷重が支持板３を介して取付け板２に確実に伝達するよう、それらの板厚を適宜設定するとともに、溶接によって互いに連結しておく。
【００４７】
雌ネジ部４は、いわゆる長ナットで構成することができる。
【００４８】
雄ネジ部材５は、雌ネジ部４に螺合される雄ネジ本体３１と、該雄ネジ本体の材軸と法線方向が平行になるように雄ネジ本体３１の端部に配置された円形の荷重支持板３２とからなり、該円形荷重支持板には、雄ネジ本体３１の材軸から偏心した位置として、互いに反対側となる周縁位置に切欠き３３，３３を形成してあるとともに、雄ネジ本体３１が立設された反対側の中央面にボルト頭部３４を突設してある。
【００４９】
切欠き３３，３３は、ビス７を挿通し、該ビスを後述する横架材の下面にねじ込むことによって、雄ネジ部材３１全体の回転を防止することができるようになっている。
【００５０】
図４に示すように、既存梁４２に対して添梁となる横架材４１（以下、添梁４１）を該既存梁の直下に架け渡すには、まず、既存梁４２が架け渡された軸組構造部材としての柱４３，４３の対向側面に接合具本体１１をそれぞれ取り付ける。
【００５１】
接合具本体１１を取り付けるにあたっては、上述したように取付け板２の背面を柱４３の側面に当接した状態で挿通孔６にビス７を挿通し、次いで該ビスを柱４３にねじ込めばよい。
【００５２】
次に、添梁４１を既存梁４２の下方位置に仮置きし、次いで、該横架材を持ち上げて既存梁４２の下面に当接配置するが、かかる作業においては、図５に示すように、添梁４１の材端に形成されたスリット５３に接合具本体１１の支持板３が差し込まれるようにかつ該スリットに連通する雌ネジ挿通孔５４に接合具本体１１の雌ネジ部４が挿通されるように、添梁４１を接合具本体１１の下方位置から同図矢印方向に持ち上げる。
【００５３】
ここで、添梁４１の端面には座堀り５２を形成してあり、該座堀りに取付け板２が嵌り込むようになっている。
【００５４】
次に、必要に応じて添梁４１を支保しつつ、雄ネジ部材５の雄ネジ本体３１を雌ネジ部４に螺合してボルト頭部３４を廻すことにより、添梁４１の上面を既存梁４２の下面に当接させるとともに、荷重支持板３２の上面を添梁４１の下面に当接させる。
【００５５】
このようにすれば、添梁４１からの鉛直荷重を荷重支持板３２で受けるとともにこれを雌ネジ部４に伝達することが可能となる。なお、添梁４１の下面には座堀り５５が形成してあり、該座堀りに荷重支持板３２が嵌り込むようになっている。
【００５６】
ここで、添梁４１の上面及び既存梁４２の下面には、それらが当接する前の適当な時期に接着剤を事前に塗布しておく。
【００５７】
次に、雄ネジ部材５を増し締めすることで、添梁４１の上面を既存梁４２の下面にしっかりと押し付ける一方、かかる作業と相前後して、既存梁４２と添梁４１とを適当な箇所、例えばスパン中央で互いに結束する。既存梁４２と添梁４１との結束は例えば締付けバンドを用いればよい。
【００５８】
このようにすると、添梁４１の上面と既存梁４２の下面とを全長にわたって確実に接着することができる。
【００５９】
添梁４１の設置が終了したならば、雄ネジ部材５が緩まないよう、切欠き３３，３３にビス７を挿通し、該ビスを添梁４１の下面にねじ込む。
【００６０】
以上説明したように、本実施形態に係る木質系横架材の接合具１及びそれを用いた接合方法によれば、既存梁４２の直下であっても添梁４１を容易に架け渡すことが可能となる。
【００６１】
また、本実施形態に係る木質系横架材の接合具１及びそれを用いた接合方法によれば、添梁４１の上面及びその直上に位置する既存梁４２の下面に接着剤を塗布し、添梁４１の上面を既存梁４２の下面に当接させた後、雄ネジ部材５を増し締めするようにしたので、添梁４１の上面が既存梁４２の下面に押し付けられることとなり、かくして材端における既存梁４２と添梁４１との確実な接着が可能となる。
【００６２】
また、本実施形態に係る接合具１によれば、雌ネジ部４に螺合される雄ネジ本体３１及び該雄ネジ本体の端部に配置された荷重支持板３２で雄ネジ部材５を構成したので、添梁４１からの鉛直荷重の支持及び雌ネジ部４への荷重伝達を簡易な構造で実現することが可能となる。
【００６３】
また、本実施形態に係る接合具１によれば、雄ネジ部材５の荷重支持板３２に切欠き３３，３３を設け、該切欠きにネジ部材を挿通して添梁４１の下面にねじ込むようにしたので、地震による揺れ等が起こっても、雄ネジ部材５と雌ネジ部４との螺合が緩むおそれはない。
【００６４】
本実施形態では、接合具本体１１を柱４３に取り付けたが、本発明に係る接合具は、取り付けられる対象が柱に限定されるものではなく、柱に代えて、胴差しや桁といった水平材にも取り付けることが可能である。
【００６５】
また、本実施形態では、接合具本体１１をビス７で取り付けたが、該ビスに代えて、ボルト止めするようにしてもかまわない。
【００６６】
また、本実施形態では、雌ネジ部４に螺合される雄ネジ本体３１と該雄ネジ本体の端部に配置された荷重支持板３２とからなる雄ネジ部材５を備えるようにしたが、添梁４１の鉛直荷重を受けることが可能であってかつ螺合によって雌ネジ部４にその鉛直荷重を伝達できるのであれば、雄ネジ部材５に代えて、公知のボルト部材を適宜選択するようにしてもかまわない。
【００６７】
また、本実施形態では、雄ネジ部材５全体の回転を防止すべく、切欠き３３，３３を設けるようにしたが、切欠きに代えて挿通孔でもよいし、雄ネジ部材５が回転して雌ネジ部４との螺合が緩む懸念がないのであれば、切欠き３３，３３を省略してもかまわない。
【００６８】
また、本実施形態では、既存梁４２への接着を前提として添梁４１の設置手順を説明したが、既存梁４１との接着を行わないのであれば、接着工程や雄ネジ部材５の増し締め工程を省略することができる。
【００６９】
また、本実施形態では、既存梁４２に対して添梁となる横架材を設置することを前提としたが、既存梁４２が存在しない場合であっても、接合具１を用いて梁４１ａを柱４３，４３に架け渡すことが可能である。
【００７０】
この場合、上述したと同様に梁４１ａを下方から持ち上げて設置することができるが、これに代えて、梁４１ａを上方から落とし込んで設置してもかまわない。
【００７１】
かかる変形例においては、図６に示したように、まず、柱４３の側面に接合具本体１１を取り付け、しかる後、雄ネジ部材５の雄ネジ本体３１を雌ネジ部４に螺合する。
【００７２】
次に、梁４１ａの材端に形成されたスリット５３に接合具本体１１の支持板３が差し込まれるようにかつ該スリットに連通する雌ネジ挿通孔５４に接合具本体１１の雌ネジ部４が挿通されるように、梁４１ａを接合具本体１１の上方位置から同図矢印方向に落とし込むことで、梁４１ａの下面を荷重支持板３２の上面に当接させる。ここで、梁４１ａの端面には座堀り５２ａを形成してあり、該座堀りに取付け板２が嵌り込むようになっている。
【００７３】
このようにすれば、梁４１ａからの鉛直荷重を荷重支持板３２で受けるとともに該鉛直荷重を雌ネジ部４に伝達することが可能となる。
【００７４】
（第２実施形態）
【００７５】
次に、第２実施形態について説明する。なお、第１実施形態と実質的に同一の部品等については同一の符号を付してその説明を省略する。
【００７６】
図７及び図８は、第２実施形態に係る木質系横架材の接合具を示した図である。これらの図でわかるように、本実施形態に係る接合具１ａは、柱、胴差し等の軸組構造部材の側面に当接される取付け板２ａ、該取付け板に立設された支持板３、取付け板２ａの両側方縁部に支持板３と平行になるように立設された一対の拘束板７２，７２及び材軸が取付け板２ａ及び支持板３と平行になるように該支持板の先端に配置された雌ネジ部４からなる接合具本体１１ａと、雌ネジ部４に螺着される雄ネジ部材５とを備える。
【００７７】
取付け板２ａは、矩形状鋼板にネジ部材としてのビス７を挿通する挿通孔６を形成するとともに、該矩形状鋼板の各周縁のうち、上縁と下縁を折り曲げることで該各周縁に補剛リブを形成して構成してあり、背面を軸組構造部材の側面に当接した状態で挿通孔６にビス７を挿通し、次いで該ビスをねじ込むことで、接合具本体１１ａを軸組構造部材に取り付けることができるようになっている。
【００７８】
一対の拘束板７２，７２は、取付け板２ａを構成する矩形状鋼板の左縁と右縁をそれぞれ折り曲げて構成してある。
【００７９】
雌ネジ部４、支持板３及び取付け板２ａは、雄ネジ部材５から雌ネジ部４に作用する鉛直荷重が支持板３を介して取付け板２ａに確実に伝達するよう、それらの板厚を適宜設定するとともに、溶接によって互いに連結しておく。
【００８０】
図９に示すように、添梁４１を既存梁４２の直下に架け渡すには、まず、既存梁４２が架け渡された軸組構造部材としての柱４３，４３の対向側面に接合具本体１１ａをそれぞれ取り付ける。
【００８１】
接合具本体１１ａを取り付けるにあたっては、上述したように取付け板２ａの背面を柱４３の側面に当接した状態で挿通孔６にビス７を挿通し、次いで該ビスを柱４３にねじ込めばよい。
【００８２】
次に、添梁４１を既存梁４２の下方位置に仮置きし、次いで、該横架材を持ち上げて既存梁４２の下面に当接配置するが、かかる作業においては、図１０に示すように、添梁４１の材端に形成されたスリット５３に接合具本体１１ａの支持板３が差し込まれるようにかつ該スリットに連通する雌ネジ挿通孔５４に接合具本体１１ａの雌ネジ部４が挿通されるように、添梁４１を接合具本体１１の下方位置から同図矢印方向に持ち上げる。
【００８３】
ここで、添梁４１の端面には座堀り５２を形成してあり、該座堀りに取付け板２ａが嵌り込むようになっている。また、添梁４１の端部各側面にはそれぞれしゃくり７３を形成してあり、該しゃくりに拘束板７２がそれぞれ嵌り込むとともに、該しゃくりの凹部側面に拘束板７２が当接するようになっている。
【００８４】
以下、第１実施形態と同様の手順で、添梁４１を柱４３，４３に架け渡すとともに、該添梁の上面を既存梁４２の下面に接着する。
【００８５】
以上説明したように、本実施形態に係る木質系横架材の接合具１ａ及びそれを用いた接合方法によれば、既存梁４２の直下であっても添梁４１を容易に架け渡すことが可能となる。
【００８６】
また、本実施形態に係る木質系横架材の接合具１ａ及びそれを用いた接合方法によれば、添梁４１の上面及びその直上に位置する既存梁４２の下面に接着剤を塗布し、添梁４１の上面を既存梁４２の下面に当接させた後、雄ネジ部材５を増し締めするようにしたので、添梁４１の上面が既存梁４２の下面に押し付けられることとなり、かくして材端における既存梁４２と添梁４１との確実な接着が可能となる。
【００８７】
また、地震等に起因した水平力が添梁４１の材軸に沿ってかつ該添梁が柱４３から離間しようとする方向に作用したとき、第１実施形態に係る接合具１では図１１(a)に示すように、雌ネジ部４がスリット５３に食い込んで該スリットが同図矢印に示すように拡がり、想定地震力の大きさにもよるが、雌ネジ部４が雌ネジ挿通孔５４から抜け出す破壊モードが存在し得る。
【００８８】
しかし、本実施形態に係る接合具１ａによれば、同図(b)に示すように、一対の拘束板７２，７２が添梁４１の材端を挟み付けるようにその両側方に配置されているため、スリット５３の開き変形に対し、これを拘束する方向の反力が拘束板７２から添梁４１の側面に作用する（同図中の矢印参照）。
【００８９】
そのため、雌ネジ部４の食い込みによるスリット５３の開きが未然に防止されることとなり、上述した方向に沿った柱４３と添梁４１との接合強度を大幅に高めることが可能となる。
【００９０】
また、本実施形態に係る接合具１ａによれば、雌ネジ部４に螺合される雄ネジ本体３１及び該雄ネジ本体の端部に配置された荷重支持板３２で雄ネジ部材５を構成したので、添梁４１からの鉛直荷重の支持及び雌ネジ部４への荷重伝達を簡易な構造で実現することが可能となる。
【００９１】
また、本実施形態に係る接合具１ａによれば、雄ネジ部材５の荷重支持板３２に切欠き３３，３３を設け、該切欠きにネジ部材を挿通して添梁４１の下面にねじ込むようにしたので、地震による揺れ等が起こっても、雄ネジ部材５と雌ネジ部４との螺合が緩むおそれはない。
【００９２】
本実施形態では、一対の拘束板７２，７２を嵌め込むための凹部として添梁４１の端部側面にしゃくり７３，７３を形成し、該しゃくりの凹部側面に拘束板７２が当接するようにしたが、場合によってはしゃくりを省略し、添梁４１の端部両側面に拘束板７２，７２が当接するように構成してもかまわない。
【００９３】
また、本実施形態では、接合具本体１１ａを柱４３に取り付けたが、本発明に係る接合具は、取り付けられる対象が柱に限定されるものではなく、柱に代えて、胴差しや桁といった水平材にも取り付けることが可能である。
【００９４】
また、本実施形態では、接合具本体１１ａをビス７で取り付けたが、該ビスに代えて、ボルト止めするようにしてもかまわない。
【００９５】
また、本実施形態では、雌ネジ部４に螺合される雄ネジ本体３１と該雄ネジ本体の端部に配置された荷重支持板３２とからなる雄ネジ部材５を備えるようにしたが、添梁４１の鉛直荷重を受けることが可能であってかつ螺合によって雌ネジ部４にその鉛直荷重を伝達できるのであれば、雄ネジ部材５に代えて、公知のボルト部材を適宜選択するようにしてもかまわない。
【００９６】
また、本実施形態では、雄ネジ部材５全体の回転を防止すべく、切欠き３３，３３を設けるようにしたが、切欠きに代えて挿通孔でもよいし、雄ネジ部材５が回転して雌ネジ部４との螺合が緩む懸念がないのであれば、切欠き３３，３３を省略してもかまわない。
【００９７】
また、本実施形態では、既存梁４２への接着を前提として添梁４１の設置手順を説明したが、既存梁４１との接着を行わないのであれば、接着工程や雄ネジ部材５の増し締め工程を省略することができる。
【００９８】
また、本実施形態では、既存梁４２に対して添梁となる横架材を設置することを前提としたが、既存梁４２が存在しない場合であっても、接合具１ａを用いて梁４１ａを柱４３，４３に架け渡すことが可能である。
【００９９】
この場合、上述したと同様に梁４１ａを下方から持ち上げて設置することができるが、これに代えて、梁４１ａを上方から落とし込んで設置してもかまわない。
【０１００】
かかる変形例においては、図１２に示したように、まず、柱４３の側面に接合具本体１１ａを取り付け、しかる後、雄ネジ部材５の雄ネジ本体３１を雌ネジ部４に螺合する。
【０１０１】
次に、梁４１ａの材端に形成されたスリット５３に接合具本体１１ａの支持板３が差し込まれるようにかつ該スリットに連通する雌ネジ挿通孔５４に接合具本体１１ａの雌ネジ部４が挿通されるように、梁４１ａを接合具本体１１ａの上方位置から同図矢印方向に落とし込むことで、梁４１ａの下面を荷重支持板３２の上面に当接させる。ここで、梁４１ａの端面には座堀り５２ａを形成してあり、該座堀りに取付け板２ａが嵌り込むようになっている。また、添梁４１ａの端部各側面にはそれぞれしゃくり７３ａを形成してあり、該しゃくりに拘束板７２がそれぞれ嵌り込むようになっている。
【０１０２】
このようにすれば、梁４１ａからの鉛直荷重を荷重支持板３２で受けるとともに該鉛直荷重を雌ネジ部４に伝達することが可能となる。
【符号の説明】
【０１０３】
１，１ａ      木質系横架材の接合具
２，２ａ      取付け板
３            支持板
４            雌ネジ部
５            雄ネジ部材
６            挿通孔
１１，１１ａ    接合具本体
３１            雄ネジ本体
３２            荷重支持板
３３            切欠き
４１            添梁（横架材）
４１ａ          梁（横架材）
４２            既存梁
７２            拘束板
【図１】
0005503211.tif 000002
【図２】
0005503211.tif 000003
【図３】
0005503211.tif 000004
【図４】
0005503211.tif 000005
【図５】
0005503211.tif 000006
【図６】
0005503211.tif 000007
【図７】
0005503211.tif 000008
【図８】
0005503211.tif 000009
【図９】
0005503211.tif 000010
【図１０】
0005503211.tif 000011
【図１１】
0005503211.tif 000012
【図１２】
0005503211.tif 000013